(57)【特許請求の範囲】
【請求項１】
可動に支持された家具部分（３）をガイドするためのガイドシステム（１）であって、
長手方向ガイドレール（９）と、
前記家具部分（３）を、前記長手方向ガイドレール（９）に沿って長手方向（Ｌ）で移動させることができる少なくとも１つのガイド装置（１０）と、
前記家具部分（３）が枢着的に支持されている少なくとも１つの支持体（１１）であって、前記長手方向ガイドレール（９）の前記長手方向（Ｌ）に対して横方向に延在する方向（Ｚ）で移動可能である、少なくとも１つの支持体（１１）と、
を有している、可動に支持された家具部分（３）をガイドするためのガイドシステム（１）において、
前記少なくとも１つの支持体（１１）は、前記ガイド装置（１０）を保持するための保持装置（１１ａ）を有しており、前記支持体（１１）は組付け位置で、前記保持装置（１１ａ）が前記長手方向ガイドレール（９）に隣接して配置されている移送位置へと移動可能であり、前記保持装置（１１ａ）と前記長手方向ガイドレール（９）との間の高さの差（Ｘ）を補償するための補償装置（９９）が設けられていることを特徴とする、可動に支持された家具部分（３）をガイドするためのガイドシステム（１）。
【請求項２】
前記補償装置（９９）は、前記長手方向ガイドレール（９）と前記支持体（１１）および／または前記保持装置（１１ａ）との間の領域に配置されていて、前記ガイド装置（１０）は、前記長手方向ガイドレール（９）と前記保持装置（１１ａ）との間で前記補償装置（９９）を介して往復移送可能である、請求項１記載のガイドシステム。
【請求項３】
前記補償装置（９９）は、前記長手方向ガイドレール（９）に沿って延在するプロファイル区分（９ａ）に対して傾斜して形成された滑走面（９９ａ）によって形成される、請求項１または２記載のガイドシステム。
【請求項４】
前記補償装置（９９）は、前記支持体（１１）に、かつ／または前記長手方向ガイドレール（９）に配置されている、請求項１から３までのいずれか１項記載のガイドシステム。
【請求項５】
前記補償装置（９９）は、前記保持装置（１１ａ）の一部によって形成される、請求項１から４までのいずれか１項記載のガイドシステム。
【請求項６】
前記補償装置（９９）は、前記保持装置（１１ａ）の長さに沿って最大で１／３の長さにわたって延在している、請求項５記載のガイドシステム。
【請求項７】
前記補償装置（９９）は、前記長手方向ガイドレール（９）から前記保持装置（１１ａ）の方向に下降するように延在する傾斜面によって形成されている、請求項１から６までのいずれか１項記載のガイドシステム。
【請求項８】
前記ガイド装置（１０）は少なくとも１つのローラ（１５ｂ）を有しており、前記少なくとも１つのローラ（１５ｂ）は、前記長手方向ガイドレール（９）と前記保持装置（１１ａ）との間で前記補償装置（９９）を介して往復移送可能である、請求項１から７までのいずれか１項記載のガイドシステム。
【請求項９】
前記支持体（１１）および／または前記保持装置（１１ａ）は、鉛直方向に延在するコラム（１４）の上面に配置されており、前記家具部分（３）は少なくとも１つの固定具部分（１８）によって回転軸線（Ｄ）を中心として可動に前記コラム（１４）に取り付けられている、請求項１から８までのいずれか１項記載のガイドシステム。
【請求項１０】
前記家具部分（３）は、第１のドア部分（３ｂ）と第２のドア部分（３ａ）とから形成されており、前記第1及び第２のドア部分（３ｂ，３ａ）は、少なくとも１つの中央ヒンジ（５５）を介して互いに枢着的に結合されていて、これにより前記家具部分（３）は折り畳みスライドドアとして形成される、請求項１から９までのいずれか１項記載のガイドシステム。
【請求項１１】
前記保持装置（１１ａ）は滑走面（１１ｂ）を有しており、前記少なくとも１つのガイド装置（１０）が、前記保持装置（１１ａ）に配置される際に、前記滑走面（１１ｂ）に接触する、または前記滑走面（１１ｂ）に対して間隔を有している、請求項１から１０までのいずれか１項記載のガイドシステム。
【請求項１２】
前記ガイドシステム（１）は少なくとも１つの挿入レール（１３ａ，１３ｂ）を有しており、前記挿入レールに沿って前記少なくとも１つの支持体（１１）または前記支持体に配置されたコラム（１４）が、前記長手方向ガイドレール（９）の前記長手方向（Ｌ）に対して横方向に延在する方向（Ｚ）で可動である、請求項１から１１までのいずれか１項記載のガイドシステム。
【請求項１３】
請求項１から１２までのいずれか１項記載のガイドシステムを備えた家具。
【請求項１４】
前記家具（３７）は、稼働状態で固定されている家具本体（３６）と、前記家具本体（３６）に対して相対的に可動に支持された少なくとも２つの家具部分（３）と、を有しており、前記少なくとも２つの家具部分は組付け状態で、鉛直方向に延在する回転軸（５ａ）を介して互いに枢着的に結合されており、前記少なくとも２つの家具部分（３）は、前記家具部分（３）が実質的に互いに同一平面に配置されている第１の位置と、前記家具部分（３）が実質的に互いに平行に配置されている第２の位置との間で、前記ガイドシステム（１）によって移動可能である、請求項１３記載の家具。
【請求項１５】
前記家具（３７）は、少なくとも１つの側方の挿入中空室（７ａ）を有しており、前記挿入中空室内には前記第２の位置にある前記家具部分（３）を収納することができる、請求項１４記載の家具。
【請求項１６】
少なくとも１つの別の家具本体（６）が設けられていて、前記別の家具本体は前記家具本体（３６）内に装着されており、または前記家具本体（３６）に結合されており、前記別の家具本体（６）は前記第１の位置では前記可動な家具部分（３）によって遮蔽され、前記第２の位置では近づくことができる、請求項１４または１５記載の家具。
【発明の詳細な説明】
【技術分野】
【０００１】
本発明は、請求項１の上位概念の特徴を有するガイドシステムに関する。
【０００２】
さらに、本発明によるガイドシステムを備えた家具が提供されるのが望ましい。
【０００３】
冒頭で述べた形式のガイドシステムは、既に従来技術であり、例えば欧州特許出願公開第２７４０８７０号明細書（EP 2 740 870 A1）に示されている。このような形式のガイドシステムは、このガイドシステムに配置された、例えば折り畳みドアまたは折り畳みスライドドアの形態の家具部分を、開放位置と閉鎖位置との間で動かすことができ、家具部材の移動の際に生じる高さ方向の遊びを補償することができる。家具部分が閉鎖位置から開放位置へと移動すると、このような高さ方向の遊びは、可動な家具部分と家具本体との間の高さの差として生じる。このような高さ方向の遊びは例えば、ドアまたはスライドドア、または家具本体または類似のものに可動に配置されているドア部分を調節できるようにするために、または可動な家具部分の移動のための高さ方向の自由度を得るために、必要である。例えば、可動な家具部分は閉鎖位置で衝突することなく家具本体内に進入できなければならず、かつ／または他方の可動な家具部分または家具本体に対して均一なギャップ形成も有していなければならない。したがって可動な家具部分は、家具の閉鎖位置で（例えば全てのドア、折り畳みドア、または折り畳みスライドドアが閉鎖されている場合に）、正確な位置決めを有していなければならず、このことは従来技術では、センタリング装置によってヒンジ内で直接行われる。閉鎖位置では、いわば可動な家具部分は、ヒンジによってこのセンタリング装置を介して所望の位置にもたらされる。この場合、ヒンジに配置されたヒンジヘッドは、斜めのセンタリング面を有しており、このセンタリング面は、閉鎖運動中にヒンジのアームに接触し、これによりこのアームをセンタリングする、または高さ方向の遊びのない所望の位置にもたらす。しかしながらこの場合、センタリングは、比較的小さいセンタリング面においてヒンジアームとヒンジヘッドとの間の直接的な接触により行われる。可動な家具部分の全重量がこの面に作用する。したがって、頻繁に行われる家具部分の開閉後には、小さなセンタリング面により、かつこれによりこの小さい面積に対する比較的高い面圧により、問題が生じる恐れがある。この問題は例えば、アームとセンタリング面との間の摩擦のみによって、および埃または金属屑のような不純物と組み合わされた摩擦によっても生じ得るセンタリング面における表面損傷である。このような表面損傷は、後々、ヒンジの可動性または動き易さの制限につながる恐れがあり、例えば、移動時にヒンジがロックされた場合、家具全体の損傷につながる恐れもある。さらには、センタリング面の摩擦接触により、煩わしい騒音が生じる恐れがある。この面の摩耗が増大すると、ギャップ寸法の調節もますます悪化する。
【０００４】
本発明の課題は、上記欠点を回避し、従来技術に対して改善されたガイドシステム、およびこのような形式のガイドシステムを備えた家具を提供することである。
【０００５】
この課題は、本発明によるガイドシステムでは、請求項１の特徴部に記載の特徴により解決され、もしくは本発明によるガイドシステムを備えた家具では、請求項１３の特徴により解決される。
【０００６】
少なくとも１つの支持体が、ガイド装置を保持するための保持装置を有しており、支持体は組付け位置で、保持装置が長手方向ガイドレールに隣接して配置されている移送位置へと移動可能であり、保持装置と長手方向ガイドレールとの間の高さの差を補償するための補償装置が設けられているならば、高さの差または高さ方向の遊びは、ヒンジヘッドにおいて小さい寸法のセンタリング面によってではなく、頑丈な構成要素により補償される。可動な家具部分の自重の力は大きな面積に分散され、さらにセンタリング面の場合のように、傾斜面を介して変向される必要もない。したがって、本発明によるガイドシステムでは、主要な荷重は、極めて頑丈に既に形成された、支持機能を有するエレメントに引き渡され、このエレメントには、ヘッドヒンジの場合のように、２つの位置間で家具を旋回させるという課題もない。換言すると、高さの差の持ち上げまたは補償は、ガイドシステムの支持構成要素を介して直接行われて、ヒンジにおける運動を介して間接的に行われるのではない。このようなガイドシステムは、レールまたはプロファイルにより形成され、レールまたはプロファイルは、その役割に基づきその寸法設計は、例えばヒンジより堅固に形成されている。さらに、このレールに沿って、例えばローラに支持されていて、ヘッドヒンジよりも頑強に実施され得るガイド装置が走行する。このようなガイドシステム全体の構成形式により、より長い耐用期間、高い安定性、高い確実性、容易にアクセスできる騒音の少ない動きが実現される。
【０００７】
本発明のその他の詳細および利点は、従属請求項の特徴により提供される。
【０００８】
本発明のさらなる詳細および利点を、図示した実施例を参照して図面を説明しながら以下に詳しく説明する。
【図面の簡単な説明】
【０００９】
【図１ａ】可動な家具部分の家具本体における１つの位置を示す図である。
【図１ｂ】可動な家具部分の家具本体における別の位置を示す図である。
【図１ｃ】可動な家具部分の家具本体におけるさらに別の位置を示す図である。
【図２】移送位置直前の開放されたドア部分を備えた家具を示す図である。
【図３】図２の詳細を示す図である。
【図４】ガイドシステムを簡略的に示す図である。
【図５】長手方向ガイドレールに沿ったガイド装置を示す図である。
【図６】ガイドシステムと可動な家具部分を示す概略図である。
【図７】ガイドシステムを家具部分と共に示す図である。
【図８】図７の細部を示す図である。
【００１０】
図１ａには、可動に支持された家具部分３を、特に折り畳み（フォールディング）ドアまたは折り畳み（フォールディング）スライドドアをガイドするためのガイドシステム１が示されており、このガイドシステムは、家具３７の上方領域に配置された長手方向ガイドレール９と、少なくとも１つのガイド装置１０とを有していて、このガイド装置を介して家具部分３は、長手方向Ｌで、長手方向ガイドレール９に沿って移動可能である。
【００１１】
さらに、ガイドシステム１は支持体１１を有しており、この支持体は、ガイド装置１０がドア部分３ａ，３ｂ（以下便宜上、ドア部分３ａを第２のドア部分、ドア部分３ｂを第１のドア部分と呼ぶことがある。）の開放位置へともたらされると（図１ｂ参照）、ガイド装置１０を保持するように設けられている。 支持体１１には、または支持体の下側の領域には、家具部分３がさらに固定具１８を介して枢着的に支持されており（図６参照）、この場合、支持体１１は、長手方向ガイドレール９の長手方向Ｌに対して横方向に延在する方向Ｚで摺動可能である。これは図１ｃに示されている。
【００１２】
家具３７は、稼働状態で固定されている家具本体３６と、家具本体３６に対して相対的に可動に支持された少なくとも２つの家具部分３、特に折り畳みドアまたは折り畳みスライドドアのドア部分３ａ，３ｂとを有している。これらの家具部分は組付け状態で鉛直方向に延びる回転軸５ａ（図２参照）を中心として互いに枢着的に連結されている。この場合、少なくとも２つの家具部分３、または換言するとドア部分３ａ，３ｂは、ドア部分３ａ，３ｂが実質的に互いに同一平面に配置されている第１の位置と、ドア部分３ａ，３ｂが実質的に互いに平行に配置されている第２の位置との間で、ガイドシステム１によって可動である。この平行な配置は図１ｃに示されている。
【００１３】
図１ａには閉鎖位置が示されている。図１ｂには開放位置が示されており、図１ｃは、少なくとも１つの可動な家具部分３が挿入中空室７ａ内に挿入された挿入位置が示されている。
【００１４】
図１ｂでは、この実施例では互いに向かって可動であるドア部分３ａ，３ｂによって形成されている家具部分３は既に、長手方向ガイドレール９に沿って長手方向Ｌで移動されており、挿入中空室７ａの手前に位置している。この場合、ドア部分３ａ，３ｂは、挿入中空室７ａ内に配置できるように、実質的にまたはほぼ、互いに平行に配置されている。
【００１５】
この場合、ドア部分３ｂまたは家具部分３は、少なくとも１つの固定具部分１８により、回転軸線Ｄを中心として可動に、見えていないコラム１４に取り付けられている。コラム１４は図６に示されている。
【００１６】
第２のドア部分３ａは、ガイド装置１０によって長手方向ガイドレール９に沿って摺動可能に支持されている。図１ｂに示した閉鎖位置から、家具部分３、すなわち２つのドア部分３ａ，３ｂは、図１ｃに示されたように、挿入中空室７ａ内に挿入され得る。この場合、ガイド装置１０は支持体１１に保持されている。したがって、ガイド装置１０は、長手方向ガイドレール９にもはや接触していない。
【００１７】
図１ｃには、挿入レール１３ｂを介して家具部分３またはドア部分３ａ，３ｂが挿入中空室７ａ内に挿入された状態が示されている。したがって、ガイドシステム１は少なくとも１つの挿入レール１３ａ，１３ｂを有しており、この挿入レールに沿って少なくとも１つの支持体１１または支持体に配置されたコラム１４が、長手方向ガイドレール９の長手方向Ｌに対して横方向に延在する方向Ｚで可動である。したがって、可動な家具部分３を省スペースに収納することができる。
【００１８】
図２は、好適には折り畳みドアまたは折り畳みスライドドアの第１のドア部分３ｂの形態の家具部分３をガイドするためのガイドシステム１の可能な使用例が示されており、第１のドア部分３ｂは、組付け状態で鉛直に延在する軸５ａを介して、第２のドア部分３ａに連結されている。オプションとして、同様に鉛直に延在する軸５ｂを介して互いに旋回可能に連結されている少なくとも２つの別のドア部分４ａ，４ｂを設けることもできる。
【００１９】
ガイドシステム１は、例えばパーテイションシステムとして使用することができるので、図２に示したような、キッチンブロック、書斎スペース、物置スペース、棚等の形態の、家具本体６を、居住空間においてドア部分３ａ，３ｂ，４ａ，４ｂによって完全に隠すことができ、したがって居住空間のその他の領域から視覚的に分離することができる。
【００２０】
しかしながらガイドシステム１を、例えばウォークインクローゼットのようなクローゼットシステムのために使用することもできる。機能形式は、以下にドア部分３ａ，３ｂにつき説明するが、ドア部分４ａ，４ｂについても同じ説明があてはまる。
【００２１】
ドア部分３ａ，３ｂは、ドア部分３ａ，３ｂが実質的に互いに同一平面に配置され、家具本体６が隠される第１の位置と、ドア部分３ａ，３ｂが実質的に互いに平行に配置されている第２の位置との間で、ガイドシステム１によって可動である。この第２の位置では、人が家具本体６に近づくことができ、この場合はドア部分３ａ，３ｂは、側壁８ａの側方にある挿入中空室７ａ内に省スペース的に収容することができる（他方のドア部分４ａ，４ｂのための左側の挿入中空室７ｂを図面により良好に認識することができる）。
【００２２】
ガイドシステム１は、ドア部分３ａ，３ｂをガイドするための、長手方向Ｌを有する長手方向ガイドレール９を含む。この長手方向ガイドレール９は例えば、部屋の天井、部屋の壁、または家具本体に、好適には家具本体６のフロント面に対して平行に、取り付けることができる。
【００２３】
図３には、図２に示したガイド装置１０の領域が拡大されて示されている。第１のドア部分３ｂはガイド装置１０に接続されていて、このガイド装置によって第２及び第１のドア部分３ａ，３ｂは長手方向ガイドレール９に沿って移動可能に支持されている。移動可能なキャリッジの形態の、長手方向ガイドレール９とは別個の支持体１１が示されており、この支持体１１は、移送位置で、第１のドア部分３ｂに連結されたガイド装置１０が長手方向ガイドレール９と支持体１１との間で往復移送可能であるように、長手方向Ｌで長手方向ガイドレール９に接続されている。ガイド装置１０は、側方の力を受け止めるための鉛直方向の回転軸線を備えた少なくとも１つの第１のローラ１５ａと、鉛直方向の力を受け止めるための水平方向の回転軸線を備えた少なくとも１つの第２のローラ１５ｂとを有することができ、この場合、ローラ１５ａ，１５ｂは、長手方向Ｌで延在する長手方向ガイドレール９のプロファイル区分９ａに沿って可動に支持されている。支持体１１も、プロファイル区分９ａの横断面の形状およびサイズに対応する横断面を備えた保持装置１１ａを有しているので、ガイド装置１０は長手方向ガイドレール９と支持体１１との間で往復移送可能である。支持体１１は例えば、長手方向Ｌで延在する少なくとも２つのガイド通路１６ａ，１６ｂを、ローラ１５ａ，１５ｂのガイドのために有していてよい。
【００２４】
長手方向ガイドレール９に沿って直線的に摺動可能なガイド装置１０は、支持体１１の図示した移送位置ではまだ長手方向ガイドレール９上にある。支持体１１は、移送位置で、長手方向ガイドレール９に解除可能にロック可能であり、この場合、このロックは、ガイド装置１０が支持体１１内へと進入することにより、または支持体１１上へと進入することにより解除可能である。ロック解除が行われた後、支持体１１はガイド装置１０および両ドア部分３ａ，３ｂと共に、長手方向ガイドレール９の長手方向Ｌに対して横方向に、好適には直角に延びる方向Ｚで水平方向に移動可能である。支持体１１は、鉛直方向に延在するコラム１４に結合されていて、このコラムは、方向Ｚで移動可能であり、かつ駆動装置１２によって少なくとも所定の区分で方向Ｚに駆動可能である。コラム１４は、組付け状態で長手方向ガイドレール９から高さ方向で間隔を置いて位置する第２の挿入レール１３ａおよび１３ｂに沿って方向Ｚで移動可能である。
【００２５】
図４には、プロファイル区分９ａを形成する長手方向ガイドレール９が示されている。この長手方向ガイドレールに沿って、少なくとも１つのローラ１５ｂが可動に支持されている。ローラ１５ｂは、図４に示されていないガイド装置１０の構成部分である。長手方向ガイドレール９の端部には、補償装置９９が配置されている。補償装置は、滑走面９９ａを有しており、この滑走面に沿って、ガイド装置１０またはガイド装置に配置されたローラ１５ｂが走行可能である。
【００２６】
したがって補償装置９９は、長手方向ガイドレール９に沿って延在するプロファイル区分９ａに対して傾斜して形成された滑走面９９ａによって形成されている。さらに、補償装置９９が、長手方向ガイドレール９と支持体１１および／または保持装置１１ａとの間の領域に配置されていて、ガイド装置１０またはそのローラ１５ｂが長手方向ガイドレール９と保持装置１１ａとの間で補償装置９９を介して往復移送可能であることがわかる。
【００２７】
補償装置を、１つの部分では長手方向ガイドレール９によって、別の部分では保持装置１１ａによって形成することもできる。図４により、補償装置９９が保持装置１１ａの一部によって形成されていることがわかる。保持装置１１ａも支持体１１の１つの構成部分である。
【００２８】
図５には、水平方向の回転軸線を備えて形成されたローラ１５ｂが示されており、このローラは長手方向ガイドレール９に沿ってプロファイル区分９ａにおいて走行可能に支持されている。安定化のために、ガイド装置１０はさらに、鉛直方向の回転軸線を有したローラ１５ａも有している。ガイド装置１０には、回転軸線Ｄを中心として可動に配置された固定具１８が配置されており、この固定具は家具部分３を保持するために使用される。したがって、この固定具１８に配置された家具部分は、回転軸線Ｄを中心として旋回することができ、長手方向ガイドレール９に沿って走行することができる。
【００２９】
図６には、第１のドア部分３ｂおよび第２のドア部分３ａとして形成された家具部分３を有したガイドシステム１の構造が概略的に示されている。第１のドア部分３ｂは固定具１８によってコラム１４に可動に配置されている。第２のドア部分３ａは、中央ヒンジ５５を介して第１のドア部分３ｂに接続されている。第２のドア部分３ａには、長手方向ガイドレール９の長手方向Ｌで走行可能なガイド装置１０が位置している。第２及び第１のドア部分３ａ，３ｂが互いに旋回されると、ガイド装置１０は長手方向ガイドレール９のプロファイル区分９ａに沿って走行する。
【００３０】
長手方向ガイドレール９およびプロファイル区分９ａの端部には、補償装置９９が位置していて、この補償装置は、長手方向ガイドレール９の端部においてローラ１５ｂを束縛から解放し、所定の高さ方向の遊びをもたらす。この高さ方向の遊びまたはこの高さの差Ｘは、補償装置９９によって補償される。したがって補償装置９９は、ローラ１５ｂの走行により、（図１ａに示したような）閉鎖位置における家具部分３の正確な位置決めをもたらす。家具部分３と、例えば家具本体３７との間のギャップ寸法は、閉鎖位置の方向での補償装置９９を介した走行により相殺される。開放位置（図１ｂ）または挿入位置（図１ｃ）では、家具部分３またはドア部分３ａ，３ｂの正確な高さ位置におけるこのような正確な位置決めはもはや必要ない。家具部分３は、挿入中空室７ａ内に装着され得るように、または収納され得るように僅かな遊びを有しているのが望ましい。
【００３１】
高さの差Ｘは、矢印ＶＨによって示されたコラム１４の調節可能性によって生じる。さらに家具部分３または第１のドア部分３ｂは、固定具１８によってもその位置を調節可能であり、このことは矢印ＶＳで示されている。２つのドア部分３ａ，３ｂを連結するための中央ヒンジ５５も調節可能であり、このことは矢印ＶＭによって示されている。これら様々な調節可能性ＶＭ、ＶＳ、およびＶＨは、高さの差Ｘを変更し、閉鎖位置から開放位置への移動の際に補償されなければならない。この場合、ガイド装置１０またはガイド装置に配置されたローラ１５ｂは開放位置で支持体１１、または支持体に配置された保持装置１１ａに接触することができ、または支持体の上方で自由に、または支持体内で浮動するように配置されてよい。
【００３２】
保持装置１１ａが滑走面１１ｂを有していてもよい。少なくとも１つのガイド装置１０が、保持装置１１ａに配置される際に、滑走面１１ｂに接触する、または滑走面１１ｂに対して間隔を有している場合があり得る。閉鎖位置へと戻す場合には、この高さの差Ｘを、補償装置９９を介して克服しなければならない。ガイド装置１０または、ガイド装置に配置された少なくとも１つのローラ１５ｂは、傾斜したプロファイル区分９９ａとして、または傾斜面として形成された補償装置９９を介して、長手方向ガイドレール９へと戻されることができ、この場合、正確な高さ位置が、したがって正確なギャップ寸法が得られる。
【００３３】
補償装置９９は、この場合、保持装置１１ａの長さに沿って、最大１／３の長さにわたって延在しており、この場合、保持装置１１ａは支持体１１によって形成される。
【００３４】
補償装置９９を長手方向ガイドレール９に配置することもできる。補償装置９９が、長手方向ガイドレール９から保持装置１１ａの方向へ下降するように延在する傾斜面によって形成されている構成も考えられる。
【００３５】
したがって、ガイド装置１０の少なくとも１つのローラ１５ｂは、長手方向ガイドレール９と保持装置１１ａとの間で、補償装置９９を介して往復移送可能である。支持体１１および／または保持装置１１ａは、鉛直方向に延在するコラム１４の上面に配置されていて、第２および第１のドア部分３ａ，３ｂから成る家具部分３は、少なくとも１つの固定具部分１８によって回転軸線Ｄを中心として可動にコラム１４に取り付けられている。ガイド装置１０はこの場合、第２及び第１のドア部分３ａ，３ｂの１つに接続されていて、開放位置から閉鎖位置への、またはその逆の旋回の際に第２及び第１のドア部分３ａ，３ｂの長手方向ガイドのために働く。
【００３６】
別の形式の補償装置９９は、例えば可動のフラップまたは揺動体によるものであることが考えられ、２つの高さ位置の間で、高さの差Ｘを補償するために可動に支持されている。まっすぐに延在する傾斜面ではなくて、曲線が設けられてもよい。
【００３７】
図７には、ドア部分３ａ，３ｂが（図１ｂのように）開放位置で示されている。この場合、ガイド装置１０の少なくとも１つのローラ１５ｂが支持体１１に配置されていて、したがって支持体１１は可動な家具部分３を支持している。この支持の前に、ローラ１５ｂは、長手方向ガイドレール９から支持体１１の保持装置１１ａへと、補償装置９９を介して移送されている。
【００３８】
図８には、ローラ１５ｂが保持装置１１ａにどのように保持されるかが詳細に示されている。家具部分３または第２および第１のドア部分３ａ，３ｂは、図７に示したように、その開放位置から閉鎖位置へと動かされる場合には、傾斜面として形成された補償装置９９が、高さ方向の遊びＸの調節に応じて、少なくとも１つのローラ１５ｂの持ち上げを行う、または既に調節により得られた持ち上げられた位置を補償する。保持装置１１ａから補償装置９９を介して長手方向ガイドレール９およびそのプロファイル区分９ａへと、ガイド装置１０が衝突なく戻し案内される。高さの差Ｘは、傾斜面として形成された補償装置９９によって補償される。さらに、傾斜面は、ローラ１５ｂのために、したがってガイド装置１０のために、プロファイル区分９ａから保持装置１１ａへの一種の導入補助を提供する。
【図１ａ】
0006861826.tif 000002
【図１ｂ】
0006861826.tif 000003
【図１ｃ】
0006861826.tif 000004
【図２】
0006861826.tif 000005
【図３】
0006861826.tif 000006
【図４】
0006861826.tif 000007
【図５】
0006861826.tif 000008
【図６】
0006861826.tif 000009
【図７】
0006861826.tif 000010
【図８】
0006861826.tif 000011